(57)【要約】【課題】使い勝手を改善するのに適した糸切り具を提供する。【解決手段】糸切り具Ａは、軸部２１および当該軸部２１の先端に設けられた刃部２２を有する刃金具２と、刃金具２を支持する柄１と、軸部２１が柄１の内部に収納された収納位置と軸部２１の少なくとも一部および刃部２２が柄１の外部にある進出位置との間で刃金具２をスライド移動させるスライド手段と、を備える。刃部２２は、軸部２１の先端につながる切断刃２２１と、当該切断刃２２１を間に挟んで二股状に設けられた針部２２２および球状部２２３と、を有する。刃金具２が収納位置をとるとき、針部２２２はその全体が柄１の内部に収納され、かつ切断刃２２１の少なくとも一部が柄１の外部に露出する。【選択図】図８
2019068908.tif 000002
【特許請求の範囲】
【請求項１】
軸部および当該軸部の先端に設けられた刃部を有する刃金具と、
上記刃金具を支持する柄と、
上記軸部が上記柄の内部に収納された収納位置と上記軸部の少なくとも一部および上記刃部が上記柄の外部にある進出位置との間で上記刃金具をスライド移動させるスライド手段と、を備え、
上記刃部は、上記軸部の先端につながる切断刃と、当該切断刃を間に挟んで二股状に設けられた針部および球状部と、を有し、
上記刃金具が上記収納位置をとるとき、上記針部はその全体が上記柄の内部に収納され、かつ上記切断刃の少なくとも一部が上記柄の外部に露出する、糸切り具。
【請求項２】
上記柄は、上記収納位置にある上記軸部を収納する本体部と、各々が上記本体部の先端につながり、上記針部を収納する第１先端収納部および上記球状部の少なくとも一部を収納する第２先端収納部と、を有し、
上記第１先端収納部は、上記針部が通過可能な第１開口を有する第１ガイド面を有し、
上記第２先端収納部は、上記球状部が通過可能な第２開口を有する第２ガイド面を有しており、
上記第１ガイド面および上記第２ガイド面は、上記本体部側に向かうにつれて互いに近づく、請求項１に記載の糸切り具。
【請求項３】
上記スライド手段は、上記軸部の基端部を保持し、上記柄に設けられた第１ガイド部に沿って移動可能なスライドベースと、上記柄の外部に位置する摘み部を有し、上記柄に設けられた第２ガイド部に沿って移動可能な操作部材と、上記スライドベースおよび上記操作部材を連係させる連係機構と、を含む、請求項１または２に記載の糸切り具。
【請求項４】
上記第１ガイド部は、直線状の第１方向に延びており、
上記第２ガイド部は、上記第１ガイド部に対して、上記第１方向に直角である第２方向に離間し、かつ外側に凸状となるように湾曲または屈曲する、請求項３に記載の糸切り具。
【請求項５】
上記連係機構は、上記スライドベースおよび上記操作部材のうちのいずれか一方に設けられた係合凸部と、上記スライドベースおよび上記操作部材のうちの他方に設けられ、上記係合凸部が係合する係合凹部と、を含み、
上記スライドベースの上記第１ガイド部に沿ったスライド動作の位置に応じて、上記係合凸部および上記係合凹部の係合深さが変化し得る、請求項４に記載の糸切り具。
【請求項６】
上記刃金具が上記収納位置にあるときに上記刃金具のスライド動作に相対的に大きい動作抵抗を与える第１抵抗付与機構と、上記刃金具が上記進出位置にあるときに上記刃金具のスライド動作に相対的に大きい動作抵抗を与える第２抵抗付与機構と、を備える、請求項１ないし５のいずれかに記載の糸切り具。
【発明の詳細な説明】
【技術分野】
【０００１】
本発明は、たとえば裁縫により形成された糸の縫い目をほどくために使用する糸切り具に関する。
【背景技術】
【０００２】
裁縫時に糸の縫い目をほどくための道具として、いわゆるリッパーと呼ばれる糸切り具が知られている（たとえば特許文献１を参照）。当該糸切り具（リッパー）は、一般に、刃金具が柄に取り付けられた態様とされており、刃金具の先端に設けられた刃部を用いて縫い目をほどく。刃部は、切断刃を挟んで二股状に設けられた針部および球状部を有する。針部は、縫い目一つずつに差し込んで当該縫い目の糸を切るのに用いられる。球状部は、縫い目に沿って一気に糸を切るのに用いられ、球状部を布上で滑らせながら連続する縫い目に切断刃を差し込んでいく。特許文献１に開示された糸切り具においては、不使用時に刃金具に被せておくためのキャップが付属されている。
【０００３】
また、この種の糸切り具については、不使用時に刃金具を柄に収納可能とされたものも知られている（たとえば特許文献２を参照）。特許文献２に開示された糸切り具において、刃金具は、ねじ機構を用いてスライド移動するように、柄に保持されている。当該糸切り具の使用時には、柄の操作部を回転させることで、内蔵されたねじ機構により刃金具の先端刃部を柄の外部に進出させる。糸切り具の不使用時には、先端刃部を含む刃金具全体を柄の内部に収納させる。このような構成によれば、刃金具に被せるためのキャップ（別部材）を準備する必要がなく、キャップの紛失などの不都合を回避することができる。
【０００４】
しかしながら、特許文献２に開示された糸切り具は、刃金具をスライドさせるためのねじ機構を具備するので全体構造が複雑になる傾向にあり、使い勝手の点においても改善の余地があった。
【先行技術文献】
【特許文献】
【０００５】
【特許文献１】意匠登録第１２０１３８５号公報
【特許文献２】実開昭５２−８１３４０号公報
【発明の概要】
【発明が解決しようとする課題】
【０００６】
本発明は、このような事情のもとで考え出されたものであって、使い勝手を改善するのに適した糸切り具を提供することを主たる課題とする。
【課題を解決するための手段】
【０００７】
上記の課題を解決するため、本発明では、次の技術的手段を講じている。
【０００８】
本発明によって提供される糸切り具は、軸部および当該軸部の先端に設けられた刃部を有する刃金具と、上記刃金具を支持する柄と、上記軸部が上記柄の内部に収納された収納位置と上記軸部の少なくとも一部および上記刃部が上記柄の外部にある進出位置との間で上記刃金具をスライド移動させるスライド手段と、を備え、上記刃部は、上記軸部の先端につながる切断刃と、当該切断刃を間に挟んで二股状に設けられた針部および球状部と、を有し、上記刃金具が上記収納位置をとるとき、上記針部はその全体が上記柄の内部に収納され、かつ上記切断刃の少なくとも一部が上記柄の外部に露出する。
【０００９】
好ましい実施の形態においては、上記柄は、上記収納位置にある上記軸部を収納する本体部と、各々が上記本体部の先端につながり、上記針部を収納する第１先端収納部および上記球状部の少なくとも一部を収納する第２先端収納部と、を有し、上記第１先端収納部は、上記針部が通過可能な第１開口を有する第１ガイド面を有し、上記第２先端収納部は、上記球状部が通過可能な第２開口を有する第２ガイド面を有しており、上記第１ガイド面および上記第２ガイド面は、上記本体部側に向かうにつれて互いに近づく。
【００１０】
好ましい実施の形態においては、上記スライド手段は、上記軸部の基端部を保持し、上記柄に設けられた第１ガイド部に沿って移動可能なスライドベースと、上記柄の外部に位置する摘み部を有し、上記柄に設けられた第２ガイド部に沿って移動可能な操作部材と、上記スライドベースおよび上記操作部材を連係させる連係機構と、を含む。
【００１１】
好ましい実施の形態においては、上記第１ガイド部は、直線状の第１方向に延びており、上記第２ガイド部は、上記第１ガイド部に対して、上記第１方向に直角である第２方向に離間し、かつ外側に凸状となるように湾曲または屈曲する。
【００１２】
好ましい実施の形態においては、上記連係機構は、上記スライドベースおよび上記操作部材のうちのいずれか一方に設けられた係合凸部と、上記スライドベースおよび上記操作部材のうちの他方に設けられ、上記係合凸部が係合する係合凹部と、を含み、上記スライドベースの上記第１ガイド部に沿ったスライド動作の位置に応じて、上記係合凸部および上記係合凹部の係合深さが変化し得る。
【００１３】
好ましい実施の形態においては、上記刃金具が上記収納位置にあるときに上記刃金具のスライド動作に相対的に大きい動作抵抗を与える第１抵抗付与機構と、上記刃金具が上記進出位置にあるときに上記刃金具のスライド動作に相対的に大きい動作抵抗を与える第２抵抗付与機構と、を備える。
【００１４】
本発明のその他の特徴および利点は、添付図面を参照して以下に行う詳細な説明によって、より明らかとなろう。
【図面の簡単な説明】
【００１５】
【図１】本発明に糸切り具の一実施形態を示し、刃金具が進出位置をとるときの斜視図である。
【図２】図１に示す糸切り具の正面図である。
【図３】図１に示す糸切り具の平面図である。
【図４】図１に示す糸切り具の左側面図である。
【図５】図３のＶ−Ｖ線に沿う断面図である。
【図６】図５のＶＩ−ＶＩ線に沿う拡大断面図である。
【図７】図１に示す糸切り具の刃金具が収納位置をとるときの正面図である。
【図８】図７に示す糸切り具の図５と同様の断面図である。
【図９】図８のＩＸ−ＩＸ線に沿う拡大断面図である。
【発明を実施するための形態】
【００１６】
以下、本発明の好ましい実施の形態について、図面を参照して具体的に説明する。
【００１７】
図１〜図６は、本発明に係る糸切り具の一実施形態を示している。図１〜図５に表れているように、本実施形態の糸切り具Ａは、柄１、刃金具２、スライドベース３、操作部材４、および軸部支持体５を備える。柄１は、使用者が手で掴むものであり、後述する刃金具２の軸部２１の少なくとも一部、スライドベース３、および軸部支持体５を収納している。詳細は後述するが、柄１は、スライドベース３および軸部支持体５を介して刃金具２を支持している。詳細な動作機構は後述するが、刃金具２は、図７に示した収納位置と図１、図２に示した進出位置との間でスライド移動可能である。
【００１８】
図１、図２に示すように、刃金具２は、軸部２１および刃部２２を有する。軸部２１は、所定の軸線方向に延びており、横断断形状が略楕円状である。刃部２２は、軸部２１の先端に設けられている。刃部２２は、切断刃２２１、針部２２２、および球状部２２３を有する。切断刃２２１は、軸部２１の先端につながっており、当該軸部２１の先端側に刃先が向いている。針部２２２および球状部２２３は、切断刃２２１を間に挟んで二股状に設けられている。刃金具２は、たとえば鍛造により成形される。球状部２２３は、たとえば金属先端部が樹脂部で覆われた構成である。
【００１９】
柄１は、本体部１１、第１先端収納部１２、および第２先端収納部１３を有する。本体部１１は、柄１の大半を占めており、収納位置にある軸部２１を収納する。
【００２０】
第１先端収納部１２および第２先端収納部１３は、本体部１１の先端につながっている。図８に示すように、第１先端収納部１２は、針部２２２を収納する。図２、図４に示すように、第１先端収納部１２は第１ガイド面１２１を有しており、第１ガイド面１２１には針部２２２が通過可能な第１開口１２２が形成されている。図８に示すように、第２先端収納部１３は、球状部２２３の少なくとも一部を収納する。図２、図４に示すように、第１先端収納部１２は第２ガイド面１３１を有しており、第２ガイド面１３１には球状部２２３が通過可能な第２開口１３２が形成されている。図７、図８に示すように、刃金具２が収納位置をとるとき、針部２２２はその全体が柄１の内部に収納される。また、刃金具２が収納位置をとるとき、切断刃２２１の少なくとも一部が柄１の外部に露出する。
【００２１】
図５、図６、図９に示すように、本体部１１には、第１ガイド部１１１および第２ガイド部１１２が設けられている。本実施形態において、第１ガイド部１１１は、スライドベース３を移動させるための一対の対向する凹溝であり、直線状の方向ｘ（第１方向）に延びている。また、第２ガイド部１１２は、操作部材４を移動させるための一対の対向する帯状凸部である。第２ガイド部１１２は、第１ガイド部１１１に対して、方向ｘに直角である方向ｙ（第２方向）に離間し、かつ外側に凸状となるように湾曲または屈曲する。本実施形態では、第２ガイド部１１２が緩やかに湾曲するとともに屈曲する態様を表す。
【００２２】
柄１は、たとえば所定の強度を有する合成樹脂からなる。柄１は、たとえば方向ｚ（方向ｘおよび方向ｙのいずれにも直角である方向）において２つ割れの分割片を、超音波溶着あるいは接着などの手法により一体的に接合したものである。
【００２３】
図５、図６、図８、図９に示すように、スライドベース３は、軸部保持孔３１、スライド嵌合部３２、係合凸部３３、および収納用凸部３４を有する。
【００２４】
軸部保持孔３１には、刃金具２における軸部２１の基端部が圧入させられている。これにより、スライドベース３は、軸部２１の基端部を保持している。スライド嵌合部３２は、本体部１１（柄１）の第１ガイド部１１１に嵌入しており、第１ガイド部１１１に沿って移動可能である。これにより、スライドベース３は、第１ガイド部１１１（方向ｘ）に沿ってスライド移動可能である。
【００２５】
係合凸部３３は、スライド嵌合部３２よりも操作部材４が位置する方向ｙ一方側に突出している。係合凸部３３は、後述する操作部材４の係合凹部４３に係合する部分である。
【００２６】
収納用凸部３４は、刃金具２（軸部２１）が収納位置にあるときに、本体部１１（柄１）に設けられた収納用孔１１３に嵌入する部分である。収納用凸部３４の外径寸法は、収納用孔１１３の内径寸法と同程度あるいは当該内径寸法よりも僅かに大きくされている。これにより、刃金具２が収納位置にあるときに、刃金具２をスライド動作させる際に相対的に大きい動作抵抗が生じる。上記の収納用凸部３４および収納用孔１１３は、本発明で言う第１抵抗付与機構を担う。
【００２７】
なお、刃金具２における軸部２１の先端側の部位は、軸部支持体５を介して本体部１１（柄１）に支持されている。軸部支持体５には、貫通孔５１が形成されており、この貫通孔５１に軸部２１が挿通されている。軸部２１の横断面サイズは、貫通孔５１の横断面サイズと同程度である。また、上記のように、軸部２１の基端部は、スライドベース３によって保持されている。これにより、軸部２１（刃金具２）は、方向ｘに沿ってスライド移動可能である。
【００２８】
操作部材４は、摘み部４１、スライド嵌合部４２、および係合凹部４３を有する。摘み部４１は、使用者が刃金具２についてスライド移動させる際に指で押さえて力を与える部分である。摘み部４１は、柄１の外部に位置する。摘み部４１は、糸切り具Ａを正面から見て（方向ｚに見て）山形形状をなしており、また山形の傾斜部は細かい凹凸が連続している。これにより、摘み部４１は、指で押さえる際に適度なグリップ力が確保される。なお、摘み部４１は、本体部１１（柄１）に形成されたスリット１１４を通じて柄１の外部において延びる。
【００２９】
スライド嵌合部４２は、摘み部４１よりもスライドベース３が位置する方向ｙ他方側につながっている。スライド嵌合部４２は、本体部１１（柄１）の第２ガイド部１１２が嵌入しており、第２ガイド部１１２に沿って移動可能である。これにより、操作部材４は、第２ガイド部１１２に沿ってスライド移動可能である。
【００３０】
係合凹部４３は、スライドベース３が位置する方向ｙ他方側に臨む。この係合凹部４３には、スライドベース３の係合凸部３３が係合している。これにより、操作部材４（摘み部４１）を第２ガイド部１１２に沿って移動させると、スライドベース３およびこのスライドベース３に保持された軸部２１（刃金具２）は、方向ｘに沿ってスライド移動する。
【００３１】
上記のように本体部１１（柄１）の第１ガイド部１１１は直線状の方向ｘに延びており、スライドベース３は、第１ガイド部１１１（方向ｘ）に沿ってスライド移動可能である。一方、第２ガイド部１１２は、外側に凸状となるように湾曲または屈曲する。本実施形態では、第１ガイド部１１１に対して、方向ｘに直角である方向ｙに離間し、かつ外側に凸状となるように緩やかに湾曲するとともに屈曲する。これにより、第２ガイド部１１２は、第１ガイド部１１１と平行ではない。
【００３２】
そして、操作部材４の係合凹部４３にスライドベース３の係合凸部３３が係合しており、操作部材４を第２ガイド部１１２に沿って移動させると、スライドベース３は第１ガイド部１１１に沿って移動する。ここで、第１ガイド部１１１と第２ガイド部１１２とは平行ではないので、スライドベース３の第１ガイド部１１１に沿ったスライド動作の位置に応じて、係合凸部３３および係合凹部４３の係合深さが変化し得る。なお、上記の係合凸部３３および係合凹部４３は、本発明で言う連係機構を担う。
【００３３】
また、本実施形態においては、操作部材４を第２ガイド部１１２に沿って移動させることで、刃金具２については、図８に示した収納位置と図５に示した進出位置との間でスライド移動可能である。図５、図８から理解されるように、刃金具２が収納位置にあるとき、係合凸部３３および係合凹部４３の係合深さが相対的に小さい。その一方、刃金具２が進出位置にあるとき、係合凸部３３および係合凹部４３の係合深さが相対的に大きい。そして、本実施形態においては、刃金具２が進出位置にあるとき、係合凸部３３の先端が係合凹部４３の底部に押圧接触している。これにより、刃金具２が進出位置にあるときに、刃金具２をスライド動作させる際に相対的に大きい動作抵抗が生じる。このように係合凸部３３が係合凹部４３に押圧圧接させられる構成は、本発明で言う第２抵抗付与機構を担う。
【００３４】
次に、上記構成の糸切り具Ａの使用方法および作用について説明する。
【００３５】
本実施形態の糸切り具Ａは、たとえば裁縫により形成された糸の縫い目をほどくのに利用される。糸の縫い目をほどく際には、まず、刃金具２について、図７、図８に示した収納位置から、操作部材４をスライドさせて図１、図２、図５に示した進出位置をとらせる。このとき、刃金具２の先端に設けられた刃部２２は全て柄１の外部に露出しており、この刃部２２を用いて糸の縫い目をほどく。刃部２２は、切断刃２２１を挟んで二股状に設けられた針部２２２および球状部２２３を有する。針部２２２を縫い目一つずつに差し込んで押し出すことで、切断刃２２１により当該縫い目の糸を切ることできる。球状部２２３は、縫い目に沿って一気に糸を切るのに用いられ、球状部２２３を布上で滑らせながら連続する縫い目に切断刃２２１を差し込む。
【００３６】
本実施形態の糸切り具Ａにおいて、刃金具２が図７、図８に示した収納位置をとるとき、針部２２２はその全体が柄１の内部に収納され、かつ切断刃２２１の少なくとも一部が柄１の外部に露出している。このような構成によれば、刃金具２が収納位置をとる場合においても、切断刃２２１の露出部分を用いて糸切りとして利用することができる。ここで、針部２２２は柄１の内部に収納されているので、針部２２２が指に突き刺さるなどの不都合を回避することできる。
【００３７】
柄１は、本体部１１と、各々が本体部１１の先端につながる第１先端収納部１２および第２先端収納部１３を有する。図５に示すように、本体部１１は、収納位置にある軸部２１を収納する。第１先端収納部１２は、針部２２２が通過可能な第１開口１２２を有する第１ガイド面１２１を有し、針部２２２を収納する。また、第２先端収納部１３は、球状部２２３が通過可能な第２開口１３２を有する第２ガイド面１３１を有し、球状部２２３の少なくとも一部を収納する。そして、第１ガイド面１２１および第２ガイド面１３１は、本体部１１側に向かうにつれて互いに近づく。このような構成によれば、刃金具２が収納位置をとるとき、針部２２２と球状部２２３の少なくとも一部とを、柄１の内部に適切に収納することができる。また、糸切りとして利用する場合、第１ガイド面１２１および第２ガイド面１３１の間に糸を通し進めることで、当該糸は第１ガイド面１２１および第２ガイド面１３１によって露出する切断刃２２１まで適切にガイドされる。
【００３８】
糸切り具Ａは、第１ガイド部１１１に沿って移動可能なスライドベース３と、第２ガイド部１１２に沿って移動可能な操作部材４とを備える。スライドベース３は軸部２１の基端部を保持しており、操作部材４は、柄１の外部に位置する摘み部４１を有する。そして、スライドベース３および操作部材４は連係されている。このような構成によれば、柄１の外部に露出する摘み部４１をスライド移動させるといった簡単な操作によって、柄１に支持された刃金具２をスライド移動させることができる。したがって、刃金具２をスライド移動させるときの操作性に優れる。
【００３９】
本実施形態の糸切り具Ａにおいては、刃金具２が図７、図８に示した収納位置にあるときに、刃金具２をスライド動作させる際に相対的に大きい動作抵抗が生じる。また、刃金具２が図２、図５等に示した進出位置にあるときにも、刃金具２をスライド動作させる際に相対的に大きい動作抵抗が生じる。このような構成によれば、刃金具２が進出位置にあるときと収納位置にあるときのいずれの使用状態においても、刃金具２が意図せずにスライド移動することを防止することができる。
【００４０】
以上、本発明の実施形態を説明したが、本発明の技術的範囲は上記した実施形態に限定されるものではない。本発明に係る糸切り具の各部の具体的な構成は、発明の思想から逸脱しない範囲内で種々な変更が可能である。
【符号の説明】
【００４１】
Ａ        糸切り具
ｘ        方向（第１方向）
ｙ        方向（第２方向）
ｚ        方向
１        柄
１１      本体部
１１１    第１ガイド部
１１２    第２ガイド部
１１３    収納用孔
１１４    スリット
１２      第１先端収納部
１２１    第１ガイド面
１２２    第１開口
１３      第２先端収納部
１３１    第２ガイド面
１３２    第２開口
１４      磁性部材
２        刃金具
２１      軸部
２２      刃部
２２１    切断刃
２２２    針部
２２３    球状部
３        スライドベース
３１      軸部保持孔
３２      スライド嵌合部
３３      係合凸部
３４      収納用凸部
４        操作部材
４１      摘み部
４２      スライド嵌合部
４３      係合凹部
５        軸部支持体
５１      貫通孔
【図１】
2019068908.tif 000003
【図２】
2019068908.tif 000004
【図３】
2019068908.tif 000005
【図４】
2019068908.tif 000006
【図５】
2019068908.tif 000007
【図６】
2019068908.tif 000008
【図７】
2019068908.tif 000009
【図８】
2019068908.tif 000010
【図９】
2019068908.tif 000011